(57)【要約】スロットサイクルインデックスは、モバイルハンドセットおよび基地局によって現在決められる。しかし、スロットサイクルインデックスが動的に選択される場合、ユーザに対してより効率的に動作するモバイルハンドセットが結果的に生じる。電池が、または他のモバイル電源が完全近く充電している場合に、または、ユーザがモバイルコールをかけそうな時間に、モバイルコールの接続時間が最小になり得、電池が、または他のモバイル源が最低の場合に、通話時間が最大になり得る。さらに、位置は、ユーザがモバイルコールをかける可能性を決定するのに用いられ得る。しかし、現在のネットワーク使用は、スロットサイクルインデックスが変更される場合、その決定時において、通常、考慮される必要性がある。電池残量、時刻、またはシステムローディング等の多数の異なった事項が、いつスロットサイクルインデックスを調整するのかを決定するために考慮され得る。
2007534274.tif 000002
【特許請求の範囲】
【請求項１】
トリガイベントが起こったことを決定するステップと、
該トリガイベントを評価するステップと、
要求が、該トリガイベントの評価を基に行われるべきであることを決定するステップと、
該トリガイベントに基に異なったスロットサイクルインデックスを要求するステップと
を行うように構成されるプロセッサと、
該プロセッサに結合され、該プロセッサによって使用されるデータを格納するように構成されたメモリと、
該プロセッサに結合され、無線周波数信号を送受信するように構成されたトランシーバと、
該トランシーバに結合されるアンテナと、
モバイルハンドセットの他の構成要素へ電力を供給するように構成されたモバイル電源と、
該プロセッサおよび該メモリを収めるケースと
を備える、モバイルハンドセット。
【請求項２】
前記トリガイベントは、前記モバイル電源が、少なくとも一つのモバイルコールを完了するのに十分に充電されるという事実である、請求項１に記載のモバイルハンドセット。
【請求項３】
前記トリガイベントは、前記モバイル電源が、所定の充電率よりも大きいという事実である、請求項１に記載のモバイルハンドセット。
【請求項４】
前記所定の充電率が、２５パーセントの充電率よりも大きい、請求項３に記載のモバイルハンドセット。
【請求項５】
前記所定の充電率が、５０パーセントの充電率よりも大きい、請求項３に記載のモバイルハンドセット。
【請求項６】
前記所定の充電率が、７５パーセントの充電率よりも大きい、請求項３に記載のモバイルハンドセット。
【請求項７】
前記トリガイベントは、現在の時刻が、二つの所定の時間の間であることを決定する、請求項１に記載のモバイルハンドセット。
【請求項８】
前記トリガイベントは、時刻が前記モバイルユーザが過去にモバイルコールを行った時間に近接する時刻であることを決定する、請求項１に記載のモバイルハンドセット。
【請求項９】
前記トリガイベントは、現在の位置が、前記モバイルユーザが過去にモバイルコールを行った所定の位置であることを決定する、請求項１に記載のモバイルハンドセット。
【請求項１０】
前記モバイル電源が燃料電池である、請求項１に記載のモバイルハンドセット。
【請求項１１】
前記トリガイベントは、モバイルコールが最近行われたことを決定する、請求項１に記載のモバイルハンドセット。
【請求項１２】
最近が、３０分以内の任意の時間である、請求項１１に記載のモバイルハンドセット。
【請求項１３】
最近が、１０分以内の任意の時間である、請求項１１に記載のモバイルハンドセット。
【請求項１４】
前記トリガイベントが、複数のトリガイベントの機能である、請求項１に記載のモバイルハンドセット。
【請求項１５】
前記トリガイベントが、前記モバイルハンドセットを外部の電源に接続する、請求項１に記載のモバイルハンドセット。
【請求項１６】
前記トリガイベントが、前記モバイルハンドセットを外部の電源から切断する、請求項１に記載のモバイルハンドセット。
【請求項１７】
トリガイベントが起こったことを決定するステップと、
該トリガイベントを評価するステップと、
要求が、該トリガイベントの評価を基に行われるべきであることを決定するステップと、
該トリガイベントの該評価を基に異なったスロットサイクルインデックスにモバイルハンドセットを設定するステップと
を行うプロセッサと、
該プロセッサに結合さたメモリと、
該プロセッサに結合され、無線周波数信号を送受信するように構成されたトランシーバと、
該トランシーバに結合されるアンテナと
を備える、基地局。
【請求項１８】
前記トリガイベントは、前記モバイル電源が、所定の充電率よりも大きいという事実である、請求項１７に記載の基地局。
【請求項１９】
前記所定の充電率が、２５パーセントの充電率よりも大きい、請求項１７に記載の基地局。
【請求項２０】
前記所定の充電率が、５０パーセントの充電率よりも大きい、請求項１７に記載の基地局。
【請求項２１】
前記所定の充電率が、７５パーセントの充電率よりも大きい、請求項１７に記載の基地局。
【請求項２２】
前記トリガイベントは、現在の時刻が、二つの所定の時間の間であることを決定する、請求項１７に記載の基地局。
【請求項２３】
前記トリガイベントは、時刻が前記モバイルユーザが過去にモバイルコールを行った時間に近接する時刻であることを決定する、請求項１７に記載の基地局。
【請求項２４】
前記トリガイベントは、現在の位置が、前記モバイルユーザが過去にモバイルコールを行った所定の位置であることを決定する、請求項１７に記載の基地局。
【請求項２５】
前記トリガイベントは、モバイルコールが最近行われたことを決定する、請求項１７に記載の基地局。
【請求項２６】
最近が、３０分以内の任意の時間である、請求項２５に記載の基地局。
【請求項２７】
最近が、１０分以内の任意の時間である、請求項２５に記載の基地局。
【請求項２８】
最近が、１分以内の任意の時間である、請求項２５に記載の基地局。
【請求項２９】
前記プロセッサは、トリガイベントが、異なったスロットサイクルに変更するために、モバイルハンドセットから前記トランシーバを介して要求を受信することによって、起こることを決定する、請求項１７に記載の基地局。
【請求項３０】
前記プロセッサは、前記トリガイベントが、前記基地局と通信する高レベルのサービスへ加入するハンドセットであることを決定する、請求項１７に記載の基地局。
【請求項３１】
前記トリガイベントが、複数のトリガイベントの機能である、請求項１７に記載の基地局。
【請求項３２】
モバイルハンドセットと、
基地局と
を備えるモバイルワイヤレス電話ネットワークであって、
該モバイルワイヤレス電話ネットワークにおける１つ以上のデバイスが、
トリガイベントを受信し、
該トリガイベントを評価し、
要求が該トリガイベントの評価を基に行われるべきであることを決定し、
トリガイベントに応答し、該モバイルハンドセットのスロットサイクルインデックスを変更する、
モバイルワイヤレス電話ネットワーク。
【請求項３３】
前記トリガイベントが、前記スロットサイクルインデックスを増加するための前記モバイルハンドセットからの要求である、請求項３２に記載のモバイルワイヤレス電話ネットワーク。
【請求項３４】
前記トリガイベントは、前記モバイルハンドセットが、所定の充電率よりも大きいモバイル電源を有するという事実である、請求項３２に記載のモバイルワイヤレス電話ネットワーク。
【請求項３５】
前記トリガイベントは、現在の時刻が、二つの所定の時間の間であることを決定する、請求項３２に記載のモバイルワイヤレス電話ネットワーク。
【請求項３６】
前記トリガイベントは、時刻が前記モバイルユーザが過去にモバイルコールを行った時間に近接する時刻であることを決定する、請求項３２に記載のモバイルワイヤレス電話ネットワーク。
【請求項３７】
前記トリガイベントは、現在の位置が、前記モバイルユーザが過去にモバイルコールを行った所定の位置であることを決定する、請求項３２に記載のモバイルワイヤレス電話ネットワーク。
【請求項３８】
前記トリガイベントは、モバイルコールが最近行われたことを決定する、請求項３２に記載のモバイルワイヤレス電話ネットワーク。
【請求項３９】
前記トリガイベントは、システムローディングが、前記モバイルハンドセットの前記スロットサイクルインデックスの増加を可能にすることを決定する、請求項３２に記載のモバイルワイヤレス電話ネットワーク。
【請求項４０】
前記トリガイベントが、複数のトリガイベントの機能である、請求項３２に記載のモバイルワイヤレス電話ネットワーク。
【請求項４１】
（ａ）トリガイベントが起こったことを決定するステップと、
（ｂ）該トリガイベントを評価するステップと、
（ｃ）要求が該トリガイベントの評価を基に行われるべきであることを決定するステップと、
（ｄ）該トリガイベントの該評価、および該要求が起こるべきである決定に基き、高スロットサイクルインデックスを要求するステップと、
を包含する、モバイルワイヤレスネットワークを操作する方法。
【請求項４２】
前記トリガイベントが、モバイル電源電力の所定のレベルに到達することである、請求項４１に記載の方法。
【請求項４３】
前記トリガイベントが、所定の時刻に到達することである、請求項４１に記載の方法。
【請求項４４】
前記トリガイベントが、所定の位置に到達することである、請求項４１に記載の方法。
【請求項４５】
前記トリガイベントが、トリガイベントの機能である、請求項４１に記載の方法。
【請求項４６】
前記トリガイベントが、モバイル電源電力、システムローディング、および時刻の機能である、請求項４１に記載の方法。
【請求項４７】
前記トリガイベントが、前記ネットワークにおいて所定のシステムローディングに到達することである、請求項４１に記載の方法。
【請求項４８】
前記トリガイベントが、スロットサイクルインデックス設定に対して、所定の優先度を有する前記モバイルハンドセットである、請求項４１に記載の方法。
【請求項４９】
前記トリガイベントが、前記モバイルハンドセットによるモバイルコールの発生である、請求項４１に記載の方法。
【発明の詳細な説明】
【技術分野】
【０００１】
本発明は、一般的に、通信デバイスに関連し、より詳細には、モバイルハンドヘルド通信ネットワークに関連する。
【背景技術】
【０００２】
多くの人が、モバイルハンドセットに馴染みがある。モバイルハンドセットは、典型的には、小さな電子デバイスであり、モバイルコールを行うために基地局と通信をする。多くのモバイルハンドセットは、モバイルコールを行うことに加え、他の機能も行う。例えば、一部のモバイルハンドセットは、音声に加え、データを送ることも可能である。
【０００３】
多くのモバイルハンドセットの人気のある機能は、プッシュツートーク（ｐｕｓｈ−ｔｏ−ｔａｌｋ）である。プッシュツートークを用いて、モバイルハンドセットのユーザは、特定のモバイルハンドセットへのコールを行うために、単一のボタンをプッシュすることが可能である。モバイルハンドセットは、「ウォーキートーキー」のように働く。しかし、一般的に、他の「ウォーキートーキー」と直接通信することに代わって、プッシュツートークを用いたモバイルハンドセットは、典型的に、接続を開始するために単一のボタンプッシュを用いて、基地局を介して他のモバイルハンドセットと通信をする。さらに、「ウォーキートーキー」のように、プッシュツートークを用いるモバイルハンドセットを使用する際、ユーザがそのボタンをプッシュした後、他のモバイルハンドセットの呼び出し音がなることを待たず、また、他のユーザが出ることを待たずに、通話することが可能である。
【０００４】
しかし、ボタンをプッシュした時から他のモバイルハンドセットに接続するまでに多少の遅延が存在し得る。その遅延を可能な限り短くする試みは、有用的であり得る。さらに、この遅延は、典型的に、プッシュツートークまたは他の単一ボタンプッシュサービスを使用するユーザにとって、より目立ち得る一方、遅延は、モバイル電話コールおよびモバイルデータコールを含むこれらに限定はされない他のモバイルハンドセットサービスにて存在し得る。基地局または他のトランシーバとの通信の際に遅延を起こす任意の他の通信サービスを用いる場合、遅延を可能な限り短くする試みも、有用的である。
【０００５】
プッシュツートークを含むモバイルコール、およびデータコールを開始する際の遅延の１つの原因は、モバイルが基地局と通信する頻度に関連する。多くの現在あるモバイルハンドセットは、特定の時間間隔にて基地局と通信するように設計される。これら時間間隔は、モバイルハンドセットがモバイルコールを開始することができる唯一の時間である。遅延の間隔があけばあく程、モバイルコールを設定するのに時間がかかる傾向にある。遅延が可変であり、多少ランダムであることは、当業者によって理解されるであろう。ユーザが次のスロットサイクルに関連してコールを開始する際に依存する。スロットサイクルは、モバイルハンドセットが基地局と通信する時間である。ユーザが、次のスロットサイクルに近接してコールを試みる場合、遅延は、比較的短くなり得るが、ユーザが、スロットサイクルの直後にコールを試みる場合、遅延は、比較的長くなり得る。
【０００６】
上記されたように、モバイルハンドセットに関連して考慮される一局面は、どれくらいの頻度において、いつ、モバイルハンドセットが基地局と通信をするべきかである。典型的に、モバイルハンドセットが基地局とより多く通信すると、モバイルハンドセットは、そのモバイルハンドセットを使用する人がコールを試みる際に、より迅速に応答可能であり得る。例えば、モバイルハンドセットが、毎秒、基地局と通信する場合、ユーザがコールを試みる際、モバイルハンドセットが基地局と通信し、そのコールを行うプロセスを開始する前に、最高でもほんの１秒である。しかし、モバイルハンドセットが、２秒毎に基地局と通信のみする場合、コールを行うプロセスが開始する前に、長くても２秒かかる。
【０００７】
したがって、モバイルコールを行うスピードを速くするために、モバイルハンドセットは、可能な限り、基地局と通信するべきである。しかし、可能な限り基地局と通信することは、多数の不利な点を有する。基地局への送信は、一般的に、電力を消費する。電池式デバイスにおいて、これは、重大なことであり得る。さらに、多くの場合、モバイルハンドセットが基地局とより頻繁に通信すると、より少ない数のモバイルハンドセットが、基地局を使用することになる。これは、基地局は、一般的に、モバイル局との通信に限られた数のトランシーバを有する事実の故である。この理由のため、各モバイル局は、基地局との通信の時間が与えられている。複数のモバイルハンドセットは、タイムシェアリングによって基地局と通信する。モバイルハンドセットが、基地局とより多く通信するほど、より少ない数のモバイルハンドセットが、基地局と通信することになる。これらの原因およびおそらく他の原因から、モバイルハンドセットと基地局との通信間の遅延は、通常、任意に短くはならない。
【０００８】
図１２を参照し、モバイルハンドセットと基地局との間の通信のより詳細が、示される。ダイアグラム７００は、グラフ７０４を含む。グラフ７０４は、モバイルハンドセット７２４が、基地局７２２と通信する場合を示す。その通信は、電磁気信号７２０として示される。通信は、７０７、７０９、および７１２において起こる。これは、１つの可能である例でしかないことは、留意されるべきである。基地局とモバイルハンドセットとの間の通信間の時間は、常時同一であるとは限らない。
【０００９】
典型的に、スロットサイクルインデックスは、製造業者側によって、基地局とモバイルハンドセットとの間にて、先ず決められる。クロックサイクルの数は、スロットサイクルインデックスとして知られる。スロットサイクルインデックスは、線形ではない。スロットサイクルインデックス０は、通信が毎サイクル行われることを示す。スロットサイクルインデックス１は、通信が、毎サイクル行われることを示す。図１２に戻り、スロットサイクルインデックス３は、通信が４サイクル毎に行われることを示す。スロットサイクルインデックス３以上のスロットサイクルインデックスも可能である。スロットサイクルインデックスタイミングは、以下のように要約され得：
通信間の時間（ＴＩＭＥ  ＢＥＴＷＥＥＮ  ＣＯＭＭＵＮＩＣＡＴＩＯＮ）＝１．２８ｘ（２ｎ）
ここにおいて、ｘは、スロットサイクルインデックスである。
【００１０】
例えば、スロットサイクルインデックス０に対しては、通信は１．２８秒毎に行われ、スロットサイクルインデックス１に対しては、通信は２．５６秒毎に行われ、スロットサイクルインデックス２に対しては、通信は５．１２秒毎に行われる。他のスロットサイクルインデックスが可能である。さらに、「負」のスロットサイクルが可能である。「負」のスロットサイクルの一つの可能性のある実施において、上記の等式における「ｎ」の数が負の数である。「負」のスロットサイクルの使用は、１．２８秒毎の通信よりもさらに頻繁な通信を可能にする。
【発明の開示】
【課題を解決するための手段】
【００１１】
多数の人が、モバイルハンドセットを使用する。多くのユーザが気付いているように、時折、モバイルコールを完了するのにしばらくの間かかる。影響し得る１つのことは、スロットサイクルインデックスとして知られる。スロットサイクルインデックスは、モバイルハンドセットが、基地局との通信前に待機しなければならない時間である。スロットサイクルインデックスが高ければ高いほど、モバイルハンドセットは、基地局との通信前に長い間、待機しなければならない。スロットサイクルインデックスが低ければ、遅延が短くなる。しかし、短いスロットサイクル優先度は、基地局と通信し得るモバイルハンドセットの数を限定する。さらに、短いスロットサイクルインデックスは、通常、そのモバイルハンドセットによって使用される電池残量を増加し、一般的に、スタンバイおよび通話時間を短くする。
【００１２】
スロットサイクルインデックスは、モバイルハンドセットおよび基地局によって現在決められる。しかし、スロットサイクルインデックスが動的に選択される場合、ユーザに対してより効率的に動作するモバイルハンドセットが結果的に生じる。電池が、または他のモバイル電源が完全近く充電している場合に、または、ユーザがモバイルコールをかけそうな時間に、モバイルコールの接続時間が最小になり得、電池が、または他のモバイル源が最低の場合に、通話時間が最大になり得る。さらに、位置は、ユーザがモバイルコールをかける可能性を決定するのに用いられ得る。しかし、現在のネットワーク使用は、スロットサイクルインデックスが変更される場合、その決定時において、通常、考慮される必要性がある。モバイルハンドセットユーザは、また、速い応答に対してお金を請求され得、または、より高価なプランのモバイルハンドセットユーザに対して一般的に、速い応答時間が与えられ得る。多数の異なった事項が、いつスロットサイクルインデックスを調整するのかを決定するために考慮され得る。より多くの例が以下に与えられる。
【００１３】
動的にスロットサイクルインデックスを調整することは、一部のケースにおいて、モバイルハンドセットのより効率的な動作を可能にする。一部のケースにて、モバイルハンドセットは、低スロットサイクルインデックス故に、早い応答時間を示し得る一方、他のケースにおいて、モバイルハンドセットは、高スロットサイクルインデックス故に、比較的少ない電池電力をしようし得る。さらに、サービスプロバイダは、より多くのユーザが基地局にアクセス可能なように、スロットサイクルインデックスを動的に変更し得る。
【発明を実施するための最良の形態】
【００１４】
ダイナミックに変化するスロットサイクルインデックスのいくつかの方法が可能である。図１を参照すると、１つの可能な例を示すフローチャート１００が説明される。フローチャート１００は、ダイナミックに変化するスロットサイクルインデックスの方法の一例を示す。フローチャート１００は参照番号１０３において開始する。ステップ１０６においては、より高いスロットサイクルインデックスにて動作するための要求が、モバイルハンドセットから受信される。モバイルハンドセットは、いくつかの理由に対して、より高いスロットサイクルインデックスにて動作するための要求を送信し得る。典型的に、トリガイベントの発生は、モバイルハンドセットに要求を送信させる。モバイルハンドセットにおけるトリガイベントは、モバイルハンドセットにおいて使用可能なバッテリー電源、時刻、またはモバイルハンドセットにおける機能の使用可能度を含み得る。トリガイベントに関する更なる詳細は、図３に関連して説明される。更に、モバイルハンドセットまたは基地局のような特定のデバイスとともに、ネットワークのようなデバイスのグループに通常関連するトリガイベントは、図１０に関連して説明される。
【００１５】
ステップ１０９においては、現行のシステムローディングがモバイルハンドセットに対してスロットサイクルインデックスにおける増加を可能にするか否かを決定する。現行のシステムローディングが増加を可能にした場合、ステップ１１３において、モバイルハンドセットは、より高いスロットサイクルインデックスに設定される。この例に見られるように、典型的に、基地局および移動局は、モバイルハンドセットがより高いスロットサイクルインデックスにて動作するべきか否かを決定するために交渉する。
【００１６】
フローチャート１００は、ダイナミックに変化するスロットサイクルインデックスの方法の１つの可能な例である。他の例も可能である。例えば、要求は、モバイルハンドセットの代わりに基地局から発生し得る。この例においては、基地局は、より高いスロットサイクルインデックスにて動作するための要求をモバイルハンドセットに送信する。この例に対しては、上記の図１を用いて説明されたように、典型的に、基地局およびモバイルハンドセットは、モバイルハンドセットスロットサイクルインデックスが変化されるべきか否かを決定するために交渉する。更に、スロットサイクルインデックスは、示されるように、異なるトリガイベントに基づいて増加され得、減少され得、またはそのままに保たれ得る。
【００１７】
トリガイベントのいくつかの例は、以下の図３に関連して下述される。図３は、スロットサイクルインデックスを増加または減少し得るトリガイベントの検討を含む。一部の場合においては、異なるトリガイベントは、スロットサイクルインデックスが変化されるべきか否かを決定するために、同時に考察され得る。トリガイベントという用語は、スロットサイクルインデックスを変化させる方法をもたらすイベントを説明するために、本明細書を通して使用される。しかしながら、一部の場合においては、トリガ状態（ｔｒｉｇｇｅｒ  ｓｔａｔｅ）という用語の方が良い場合もある。例えば、いくつかの要因が一度に考察された場合、結果を決定するのは、各要因の状態である。更に、決定を生じさせるのは、単一の要因の変化であり得る。逆に、変化するいくつかの状態が、決定を生じさせ得る。本出願においては、トリガイベントという用語は、状態または、異なるスロットサイクルインデックスにおいて動作するための要求を送信させる、状態における変化を説明するために使用される。図２においては、特定のモバイルハンドセットユーザの例が説明される。
【００１８】
一部の利点は、電池が少ない場合、スロットサイクルインデックスを上げることによって電池残量を節約することができる能力を含む。しかしながら、一部の場合においては、電池が少ないの場合でもスロットサイクルインデックスが増加されるべきことが決定され得る。更に、システムローディングは典型的に、一部の場合において、ユーザがネットワーク容量を使い尽くしている時間の間、必要な場合において、減少され得る。
【００１９】
図２を参照すると、図解１２５に関連して一例が説明される。図解１２５は、スポーツスタジアム１２７、オフィスビル１３０、および道路１３１を含む。更に、図解１２５は、車１３３および家１３５を含む。図２の例においては、モバイルハンドセットユーザ、メアリーは、家１３５において一日を始める。家にいる場合、メアリーは、彼女のモバイルハンドセットを使用しない傾向がある。しかしながら、仕事への運転の間、メアリーは、彼女のモバイルハンドセットを使用して多数の電話を掛ける傾向がある。メアリーのモバイルハンドセットは、モバイルハンドセットが典型的に使用される一日の時間の間、より高いスロットサイクルインデックスを要求する。
【００２０】
典型的に、通勤の道のりの間、メアリーのモバイルハンドセットは、より高いスロットサイクルインデックスに設定される。メアリーが彼女の仕事場のビル１３０に到着すると、彼女は、彼女のモバイルハンドセットを一日中使用し続ける。モバイルハンドセットは典型的に、より高いスロットサイクルインデックスにて動作する。これは、典型的に、メアリーがより迅速にコールを終了することを可能にする。しかしながら、メアリーのビルは、スポーツスタジアム１２７に近い。スタジアム１２７においてスポーツイベントが行われる日においては、多数の人が通常参加し、典型的にはモバイルハンドセットを持ち歩く。スタジアム１２７にいる多くの人は、スタジアム１２７の近くにある基地局１４０に大きな負担をかける。基地局１４０におけるローディングが多い場合、メアリーのモバイルハンドセットは、より高いスロットサイクルインデックスにて動作することが不可能である。スロットサイクルインデックスが減少された場合、基地局１４０は、より多くのモバイルハンドセットと通信可能である。
【００２１】
図２の説明は、１つの唯一の可能な例であることに留意されたい。ダイナミックスロットサイクルインデックスに修正することは、様々な理由に対して生じ得る。更に、スロットサイクルインデックスが変化しないようにすることは、様々な理由に対して生じ得る。図３に関連して説明されるように、スロットサイクルインデックスは、トリガイベントが生じた場合、増加され得る。または図４に関連して説明されるように、スロットサイクルインデックスは、トリガイベントが生じた場合、減少され得る。
【００２２】
図３を参照すると、フローチャート２００が説明される。フローチャート２００はステップ２０２において開始する。ステップ２０４においては、トリガイベントが生じたことが決定される。ステップ２０６においてトリガイベントは評価され、ステップ２０９においてより高い優先度スロットサイクルを要求するために決定が行われる。ステップ２１２において、より高い優先度スロットサイクルのための要求が行われる。図３のフローチャート２００においては、より高いスロットサイクルインデックスのための要求をもたらすトリガイベントが生じる。しかしながら、図４に関連して説明されるように、より低いスロットサイクルインデックスのための要求をもたらすトリガイベントも、生じ得る。
【００２３】
多数のイベントがトリガイベントとして考慮され得る。いくつかの例は下述されるが、他の例も可能である。トリガイベントの一例は、バッテリー電源である。高いスロットサイクルインデックスにおけるモバイルハンドセットを動作することは通常、与えられた時間の間に消費されるバッテリー電源の量を増加させる。多量のバッテリー電源は、より高いスロットサイクルインデックスにて動作するためのトリガイベントになり得る。逆に、少ないバッテリー電源は、より低いスロットサイクルインデックスにて動作するためのトリガイベントになり得る。
【００２４】
トリガイベントの他の例は時刻である。現行の時刻が、モバイルハンドセットユーザが多数のコールをする傾向がある時刻であった場合、またはサービスプロバイダが多数のコールがされることを予想する時刻であった場合、より高いスロットサイクルインデックスにて動作するための要求が生じ得る。再度、バッテリー電源の例に関しては、逆もその通りである。コールが生じそうもない時刻であった場合、この時刻は、より低いスロットサイクルインデックスにて動作するためのトリガイベントになり得る。
【００２５】
可能なトリガイベントの３番目の例はシステムローディングである。より高いスロットサイクルインデックスは、システムリソースに対して更なる要求をする。システムローディングが少ない場合、スロットサイクルインデックスは典型的に、基地局が満たすことができない負担を基地局に与えずに、増加され得る。しかしながら、システムローディングが多い場合、これらの負荷を減らす１つの可能な方法は、一部のモバイルハンドセットにおけるスロットサイクルインデックスを低くすることである。これらは単に例示であることに留意することが重要である。
【００２６】
上述された例および下述される他の例は、スロットサイクルインデックスを増加または減少させることを決定する場合において考慮される要因になる。一部の場合においては、いくつかの異なるトリガイベントは、スロットサイクルインデックスの増加または減少が行われる前に考慮される。例えば、バッテリー電源が低く、コールが生じそうな時刻であり、システムローディングは増加スロットサイクルインデックスを可能にする場合、スロットサイクルインデックスは、２つの他の要因がスロットサイクルインデックスにおける増加を可能にするにも関らず、バッテリー電源をセーブするために減少され得る。
【００２７】
他のトリガイベントは位置である。モバイルハンドセットは、ユーザが１つ以上、あるいは多数のモバイルコールを過去に行った位置に存在し得る。この場合においては、モバイルハンドセットのスロットサイクルインデックスを増加することは有意になり得る。しかしながら、典型的に、他のトリガイベントが考慮される。例えば、メアリーは仕事中であるが、スポーツイベントが近くにて行われていることが図２を用いて説明されたように、メアリーは彼女のモバイルハンドセットを使用して多数のコールを通常行うが、システムローディングが多いため、彼女のモバイルハンドセットのスロットサイクルインデックスを増加させることは不可能になり得る。
【００２８】
位置は、スロットサイクルインデックスを増加または減少させるための決定を他の方法にて影響し得る。位置は、基地局との通信に必要とされる送信電力の量に影響する傾向がある。送信電力が強い位置においては、スロットサイクルインデックスを減少させることが有利になり得る。送信電力が弱い位置においては、スロットサイクルインデックスを増加させることが有利になり得る。上述された例に関しては、送信電力は、他の要因と組み合わせて考慮され得る。
【００２９】
他の例においては、システムローディングが低く、コールが生じそうな時刻である一方、バッテリー電源は高くなり得る。しかしながら、モバイルハンドセットは、多量の送信電力が基地局との通信に必要とされる位置に配置され得る。その場合においては、より低いスロットサイクルインデックスにて動作することが有利になり得る。
【００３０】
一部の場合においては、モバイルハンドセットユーザは、更なる高性能サービスのために代金を支払い得る。例えば、ユーザは、より高いスロットサイクルインデックスのために更に支払い得る。一部の場合においては、より高いスロットサイクルインデックスは、提供されるサービスのパッケージの一部として、より高い料金プランに含まれ得る。
【００３１】
一部の場合においては、コールが生じた直後に、更なるコールが生じ得る。コールが最近生じたという事実が、スロットサイクルインデックスを増加させるためにトリガイベントとして使用され得る。矢継ぎ早のいくつかのコールが起こりそうな傾向がある１つの事例は、プッシュ−トークのようなワンボタン・プッシュサービスである。
【００３２】
更に、一部の場合においては、より高いスロットサイクルインデックスを要求する機能が存在し得る。または、一部の場合においては、キャリアまたはモバイルハンドセットは、より高いスロットサイクル性能を所望し得る。機能の使用可能度は、トリガイベントになり得る。ある機能が使用可能であった場合、例えば、その機能をサポートする基地局に対するモバイルハンドセットの近接性のため、機能の使用可能度はスロットサイクルインデックスにおける増加または減少を、機能の要件によってトリガし得る。他のトリガイベントに関しては、いくつかのトリガイベントは、スロットサイクルインデックスが増加または減少されるべきか否かを決定するために、組み合わされ得る。
【００３３】
図３に関連して上述されたように、トリガイベントは、スロットサイクルインデックスにおける増加をトリガし得る一方、他のトリガイベントは、スロットサイクルインデックスにおける減少をもたらし得る。図４に示されるように、トリガイベントは、より低いスロットサイクルのための要求をもたらし得る。図４はフローチャート２２５である。ステップ２２７においてフローチャート２２５は開始する。ステップ２２９において、トリガイベントが生じたことが決定される。ステップ２３２において、トリガイベントは評価され、より低いスロットサイクルのトリガが生じたことが決定される。ステップ２３４においては、より低いスロットサイクルのための要求が生じるべきことが決定される。ステップ２４０において、より低い優先度スロットサイクルが要求される。図３および図４を要約すると、トリガイベントは生じ、トリガイベントの種類によって、より低いまたはより高いスロットサイクルのための要求が生じる。一部の場合において、トリガイベントの組み合わせまたは現行の状態は、より高いまたはより低いスロットサイクルを要求することを決定する場合において考慮され得る。更に、トリガイベントまたは状態は、基地局におけるモバイルハンドセットにて生じ得、またはユーザが購入したサービスに内在し得る。例えば、以下の図１０を参照されたい。上述されたトリガイベントの組み合わせは、モバイルハンドセットの組み合わせおよび基地局において生じ得、かつサービス購入にも基づき得る。利点は、モバイルハンドセットユーザがモバイルコールを行い得る時刻または位置にいる間、モバイルハンドセットの性能を増加させる能力を含み得る。
【００３４】
その逆もまた当てはまることが、当業者に明確である。一部のトリガイベントの欠損は、スロットサイクルインデックスを増加し得る。
【００３５】
図５を参照すると、フローチャート２５０が説明される。フローチャート２５０は、図３のフローチャート２００と同様である。フローチャート２５０は、ステップ２５５にリストされるいくつかの可能なトリガイベントの追加を含む。参照番号２５２に始まり、フローチャート２５０は、ステップ２５５においてトリガイベントが生じたことを決定する。ステップ２５５は、図３のステップ２０５と同等または同様である。可能なトリガイベントとしては、使用可能なバッテリー電源、時刻、位置、必要な送信電力、システムローディング、優先度、コールの発生、および機能の使用可能度が挙げられるが、それらに限定されない。上述したように、いくつかのトリガイベントは、スロットサイクルインデックスが増加、減少、またはそのままに保たれるべきかを決定する場合に考慮され得る。更に、各トリガイベントは、スロットサイクルインデックスを決定する場合、異なる重み付けを与えられ得る。ステップ２６０においては、スロットサイクルインデックス変更のための要求が生じる。図５のステップ２６０は、図３の２１２および図４のステップ２４０の組み合わせと同等または同様である。
【００３６】
ステップ２５５に戻ると、低いバッテリー電源は典型的に、より低い優先度スロットサイクルのためのトリガイベントが考慮される。その理由は、より高い優先度スロットサイクルが典型的に、より多くのバッテリー電源を消費するからである。その逆もまた当てはまる。多量のバッテリー電源は典型的に、より高い優先度スロットサイクルのためのトリガイベントが考慮される。これは、一例であることに留意されたい。「低い」バッテリー電源および「多量」のバッテリー電源が、ここにおいて正確に規定されておらず、１つの特定な実施から他の実施まで幅広く変化し得ることが、当業者に理解されるであろう。
【００３７】
一部の場合においては、バッテリー電源は、他のトリガイベントとも考慮され得る。更に、一部の例においては、バッテリー電源は、全く考慮され得ない。任意の特定のアプリケーションにおいて使用される特定トリガイベントは、その特定のアプリケーションのニーズによってカスタマイズされ得る。一部のトリガイベントは、図１０に関連して更に説明される。利点は、バッテリー電源が低い場合においてバッテリー電源を節約するためにスロットサイクルインデックスを変化させる能力を含み得る。
【００３８】
コール、特にプッシュトゥートークコールを行う場合、いくつかのコールは矢継ぎ早に行われ得る。一般に、コールが最近行われたとき、スロットサイクルインデックスを増加させることは、コールを迅速に行うモバイルハンドセットの能力を増大させる利点を有する傾向がある。
【００３９】
図６を参照すると、モバイルハンドセット２８０が説明される。モバイルハンドセット２８０はアンテナ２８４を含む。アンテナ２８４は、無線周波数信号をトランシーバ２８２に結合するための変換器である。トランシーバ２８２は、無線周波数信号を送信および受信するための送信器および受信器を含む。トランシーバ２８２は、プロセッサ２９５に結合される。プロセッサ２９５は、モバイルハンドセットに対して必要である処理機能を行うために使用される。プロセッサが単一のプロセッサまたは複数のプロセッサになり得ることが、当業者に理解されるであろう。更に、プロセッサは、マイクロプロセッサ、マイクロコントローラ、もしくは複数のマイクロプロセッサまたはマイクロコントローラあるいは同様なデバイスになり得る。プロセッサは、単一のデジタル信号プロセッサまたは複数のデジタル信号プロセッサになり得る。プロセッサとしては、異なる種類のプロセッサの組み合わせが挙げられるが、マイクロプロセッサ、マイクロコントローラ、およびデジタル信号プロセッサに限定されない。プロセッサは、スタンドアローンデジタルロジック、フィールドプログラマブルゲートアレイ、複雑なプログラマブルロジックデバイス、または他の形式のプログラマブルロジックのようなプログラマブルロジックにもなり得る。プロセッサは、特許請求の範囲に含まれるステップを実行できる任意の回路になり得る。プロセッサ２９５は、メモリ２９３に結合される。メモリ２９３は、プロセッサ２９３によって使用される情報を格納するために使用される。
【００４０】
電池２９８の形式におけるモバイル電源は、プロセッサに電力を提供するためにプロセッサに結合される。電池２９８が、モバイルハンドセットにおける他の回路に電力を提供し得ることが、当業者に明確になるであろう。更に電池２９８は、他の種類のモバイル電源なり得、例えば、電池２９８は実際に、燃料電池または他のモバイル電源になり得る。更に、モバイルハンドセットは、ケース２８８に収容される。多数の場合においては、スロットサイクルインデックスを下げることは、モバイルハンドセットにおけるバッテリー電源を節約する傾向がある。利点は、プッシュトゥートークコールを行う場合において、モバイルハンドセット性能を増大させる能力をも含み得る。一部の場合において、プッシュトゥートークコールは、より迅速に接続され得る。
【００４１】
図７を参照すると、基地局３３０が説明される。基地局３３０は、アンテナ３３２を含む。アンテナは、無線周波数信号をトランシーバ３３７に結合する。トランシーバ３３７は、プロセッサ３４９に結合される。更に、プロセッサ３４９は、典型的に、地上（ｔｅｒｒｅｓｔｒｉａｌ）通信ネットワークと通信する。プロセッサ３３９は、メモリに結合される。基地局３３０は、ケース３３４に収容される。基地局がモバイルステーションによって使用されるスロットサイクルインデックスをダイナミックに変化させることを可能にすることは、基地局がシステムローディングを管理することを可能にするという利点を有する傾向がある。システムローディングが多い場合、スロットサイクルインデックスは、減少され得る。減少されたスロットサイクルインデックスは、モバイルハンドセットが基地局と通信する頻度を減らす。
【００４２】
図８を参照すると、図解３７５が説明される。図解３７５は、モバイルハンドセット２８０を含む。モバイルハンドセット２８０は、図６のモバイルハンドセット２８０と同等または同様である。更に、図８の図解３７５は、基地局３３０を含む。基地局３３０は、図６の基地局３３０と同等または同様である。モバイルハンドセット２８０および基地局３３０は、情報が２つのデバイス間において通信されることを可能にするために、電磁信号を送る。基地局がモバイルハンドセット２８０を含む複数のモバイルハンドセットと通信し得ることが、当業者に明確になるであろう。一部の場合においては、全てのモバイルハンドセットは、ダイナミックに調節可能スロットサイクルインデックスを有するわけではない。他の場合においては、全てのモバイルハンドセットが調節可能スロットサイクルインデックスを有することが可能である。更に、典型的に、基地局３３０およびモバイルハンドセット２８０がスロットサイクルインデックス設定を決定するために交渉するということに留意されたい。スロットサイクルインデックス設定を交渉するための多数の異なる方法は、当業者に明らかになるであろう。例えば、上述されたように、複数のトリガイベントは組み合わされ得る。異なるトリガイベントは、どのアクションをとるかを決定しようとしているとき、それらに関連する異なる「重み付け」を有し得る。
【００４３】
更に、一部の場合においては、一部のトリガイベントが、スロットサイクルインデックスが任意の他のトリガイベントから独立して変化することをもたらすことが有利になり得る。例えば、バッテリーが低い場合、他のトリガイベントに関らず、スロットサイクルインデックスを常に下げることが有利になり得る。同様に、システムローディングが多い場合においても、スロットサイクルインデックスを常に下げることが有利になり得る。しかしながら、これが単に可能な例であることに留意されたい。他の場合においては、これらの例は適用され得ない。一部の場合においては、スロットサイクルインデックスは、バッテリーが低いまたはシステムローディングが多い場合、増加され得またはそのままに保たれ得る。
【００４４】
他の例においては、一部の場合において、１つのデバイスがスロットサイクルインデックスを他に指図することを可能にすることが有利になり得る。例えば、モバイルハンドセットがスロットサイクルインデックスを低くするための要求を拒絶することを可能にしないことが有利になり得る。この例においては、システムローディングが多いことを仮定する。モバイルステーションと通信する基地局は、より低いスロットサイクルインデックスに動作するための要求を、またはこの場合においては、命令として考慮され得る要求を送信する。この例においては、モバイルハンドセットは、より低いスロットサイクルインデックスにて動作することが要求される。これらが、単に例であることを再度強調されたい。他の例も可能である。特定トリガイベント、トリガイベントのための特定「重み付け」、トリガイベントの特定組み合わせ、およびダイナミックスロットサイクルインデックスを交渉するための特定方法が、特定の実施のニーズに基づいて決定され得ることが当業者に明確になるであろう。多数の異なる可能性が、当業者に明確になるであろう。簡潔さのために、少数の例のみがここに示される。利点は、モバイルハンドセット２８０と基地局３３０との間に送信するのに使用される電力を低くする能力を含み得る。これは、モバイルハンドセット２８０におけるバッテリーが低い場合、非常に重要になり得る。
【００４５】
図９を参照すると、図解４００が説明される。図解４００は、クロック信号４０２のグラフを含む。クロック信号４０２は、基地局３３０とモバイルハンドセット２８０との間の送信のタイミングに対する基準である。例えば、図８の基地局３３０およびモバイルハンドセット２８０である。ダイナミックスロットサイクルのグラフ４０４は、図解４００にも示される。グラフは、ハンドセット２８０がスロットサイクル１  ４０６にて動作する期間を含む。トリガイベント４１２の後、モバイルハンドセット２８０は、ある程度の期間の間、スロットサイクル０にて動作する。他のトリガイベントが参照番号４１９にて生じる。トリガイベント４１９は、スロットサイクルインデックスにおける減少をもたらすトリガイベントである。参照番号４１９の後、モバイルハンドセットはスロットサイクル１に戻る。図９は、単に１つの可能な例であり、他の例も可能である。スロットサイクルにおける変化は、ただ単にスロットサイクル０からスロットサイクル１へと変化するだけではなく、他の変化も生じ得る。例えば、モバイルハンドセットは、スロットサイクル２からスロットサイクル４へと変化し得る。スロットサイクルは、例えば、上記されたように、スロットサイクル２からスロットサイクル４へと、単一の変化において複数のスロットサイクルにて変化され得る。
【００４６】
上記されたように、スロットサイクルにおける変化は、トリガイベントの組み合わせに基づき得る。例えば、トリガイベントは、機能の形式において組み合わされ得る。更に、トリガイベントの組み合わせは、異なって重み付けされ得る。一部のトリガイベントは、他と比べより重要なものとして考慮され得る。トリガイベントは、機能の形式において組み合わされ得る。例えば、スロットサイクル変化は、使用可能なバッテリー電源、システムローディング、および位置の機能になり得る。
【００４７】
一例においては、バッテリー電源は、他の２つのトリガイベントと比べより重要なものとして考慮され得る。この例においては、バッテリー電源は、トリガイベントが生じるべきか否かを決定する機能において、より多くの重み付けを与えられ得る。
【００４８】
更に、これらのトリガイベントは、継続的にモニタされ得る。他の例においては、トリガイベントは継続的にモニタされ得る。更なる他の例においては、トリガイベントは、１つ以上のトリガイベントが変化した場合にのみモニタされ得る。これは単に例であり、他のトリガイベント、またはトリガイベントの他の組み合わせを使用して他の例が可能であることが当業者に明確になるであろう。利点は、特定期間の間の状態に基づいてスロットサイクルを変化させる能力を含む。
【００４９】
図１０を参照すると、図解４７５が示される。図解４７５は、一般的に、ネットワーク４８０と、基地局４８２と、モバイルハンドセット４８５と、サービス４８９との間の関係を示す。基地局４８２の下の図解において、位置、システムロード、および機能の使用可能度がリストされる。これらのトリガイベントは、典型的に、基地局４８２に関連するが、しかしながら、他のグルーピングも可能である。例えば、機能の使用可能度は、基地局４８２およびハンドセット４８５の両方の下にリストされる。更に、ハンドセットがシステムローディングを決定できる場合、システムローディングはハンドセット４８５の下にリストされ得る。しかしながら、ハンドセットが、典型的にシステムローディング情報へのアクセスを有さないため、システムローディング情報、システムローディングは、ハンドセット４８５の下に含まれていない。図は、一般的であり、トリガイベントの典型的グループおよびどのデバイスがそれらのトリガイベントのためにモニタする傾向があるかを示すことを意図する。しかし、上記されたように、リストは網羅的ではない。
【００５０】
ハンドセット４８５のためのセクションは、電力、時刻、および機能の使用可能度のようなトリガイベントのリストを含む。上記されたように、リストは一例であることを意図する。リストは、網羅的ではないことを意図する。他のトリガイベントも可能である。更に、トリガイベントは、図１０に示されない方法において、基地局４８２、ハンドセット４８５、およびサービス４８９のようなヘッディング（ｈｅａｄｉｎｇ）に関連して生じ得る。例えば、基地局４８２が、バッテリー電源が使用可能であることを決定できる場合、電力は、上記の基地局４８２の下にリストされ得る。しかしながら、典型的に、基地局４８２がモバイルハンドセット４８５に対して使用可能なバッテリー電源を知らないため、電力は、基地局４８２の下にリストされない。
【００５１】
上記されたように、図１０は、サービス４８９をも含む。サービス４８９は、優先度サービスを含む。一部の場合においては、カスタマは、典型的により高いスロットサイクルインデックスによって引き起こされるより速いコール完了に対して割増料金を支払い得る。他の場合においては、サービスは、他の予めパッケージングされたサービスの一部になり得る。利点は、典型的により速いコール完了に対して一部のカスタマに請求する能力によって増加される収入を含み得る。しかしながら、一部の場合においては、サービスは特定コールプランを含み得る。
【００５２】
図１１を参照すると、図解５５０が示される。図解５５０は、図９の図解４００と同様である。しかしながら、図解５５０は、いくつかの可能なスロットサイクル優先度５５９，５６２，５６８，５７１を示し、モバイルハンドセットが異なる優先度の間をスイッチすることができることを示す。図解５５０を使用して、異なるスロットサイクル優先度５５９，５６２，５６８，５７１は、容易に比較され得る。スロットサイクルインデックスが高いほど、モバイルステーションが基地局と頻繁に通信することが、図解５５０から見ることができる。高いスロットサイクルインデックスが、低いスロットサイクル番号によって示されることに留意されたい。例えば、スロットサイクル０は、スロットサイクル１より高いスロットサイクルインデックスである。上述されたように、スロットサイクル優先度間においてダイナミックに変化する能力は、多数の利点を有する。ダイナミックに変化するスロットサイクルインデックスは、典型的に、モバイルハンドセットが、より効果的に動作し、一部の場合においては、ハンドセット、ネットワーク、または購入されたサービスの現行の状態に適合することを可能にする。
【００５３】
多数の例が上述された。しかしながら、これらは単に一例である。他の一例も可能である。更に、多数の利点も上述された。しかしながら、これらは、単に可能な利点である。利点は、１つの特定の実施から次の実施の間において変化し得る。更に、一部の利点は、重要ではなくまたは互いに含まれない可能性がある一方、一実施の重要な局面になり得る。実施形態は、特許請求の範囲のみによって限定されるべきである。
【図面の簡単な説明】
【００５４】
【図１】ダイナミックに変化するスロットサイクルインデックスの方法の一例を示す１つの可能な例を示すフローチャート１００を示す。
【図２】スポーツスタジアム１２７、オフィスビル１３０、および道路１３１を含む図解１２５を示す。
【図３】ステップ２０２において開始するフローチャート２００を示す。
【図４】ステップ２２７において開始されるフローチャート２２５を示す。
【図５】ステップ２５５にリストされるいくつかの可能なトリガイベントの追加を含むフローチャート２５０を示す。
【図６】アンテナ２８４を含むモバイルハンドセット２８０を示す。
【図７】アンテナ３３２を含む基地局３３０を示す。
【図８】モバイルハンドセット２８０を含む図解３７５を示す。
【図９】クロック信号４０２のグラフを含む図解４００を示す。
【図１０】ネットワーク４８０と、基地局４８２と、モバイルハンドセット４８５と、サービス４８９との間の関係を示す図解４７５を示す。
【図１１】モバイルハンドセットが異なる優先度の間をスイッチすることができることを示す図解５５０を示す。
【図１２】モバイルハンドセットと基地局との間の通信のより詳細を示す。
【図１】
2007534274.tif 000003
【図２】
2007534274.tif 000004
【図３】
2007534274.tif 000005
【図４】
2007534274.tif 000006
【図５】
2007534274.tif 000007
【図６】
2007534274.tif 000008
【図７】
2007534274.tif 000009
【図８】
2007534274.tif 000010
【図９】
2007534274.tif 000011
【図１０】
2007534274.tif 000012
【図１１】
2007534274.tif 000013
【図１２】
2007534274.tif 000014
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
モバイルハンドセットであって、
トリガイベントが起こったことを決定するステップと、
該トリガイベントを評価するステップと、
該トリガイベントの評価に基づいて、要求が行われるべきであることを決定するステップと、
該トリガイベントに応答して、基地局から異なったスロットサイクルインデックスを交渉するステップと
を行うように構成されるプロセッサと、
該プロセッサに結合されており、該プロセッサによって使用されるデータを格納するように構成されたメモリと、
該プロセッサに結合されており、無線周波数信号を送受信するように構成されたトランシーバと、
該トランシーバに結合されているアンテナと、
該モバイルハンドセットの他の構成要素へ電力を供給するように構成されたモバイル電源と、
該プロセッサおよび該メモリを収めるケースと
を備える、モバイルハンドセット。
【請求項２】
前記トリガイベントは、前記モバイル電源が、少なくとも一つのモバイルコールを完了するのに十分に充電されるということを決定することである、請求項１に記載のモバイルハンドセット。
【請求項３】
前記トリガイベントは、現在の日時が、所定の日時であることを決定することである、請求項１に記載のモバイルハンドセット。
【請求項４】
前記トリガイベントは、現在の位置が所定の位置であることを決定することである、請求項１に記載のモバイルハンドセット。
【請求項５】
前記トリガイベントが、複数のトリガイベントの関数である、請求項１に記載のモバイルハンドセット。
【請求項６】
前記トリガイベントが、前記モバイルハンドセットと外部電源との接続の変化である、請求項１に記載のモバイルハンドセット。
【請求項７】
トリガイベントがモバイルハンドセットにおいて起こったことを決定するステップと、
該モバイルハンドセットからスロットサイクルインデックスの変更に対する要求を受信するステップと、
該トリガイベントが起こったことを決定することと、該モバイルハンドセットの要求とに基づいて、異なったスロットサイクルインデックスに該モバイルハンドセットを設定するステップと
を行うプロセッサと、
該プロセッサに結合されているメモリと、
該プロセッサに結合されており、無線周波数信号を送受信するように構成されたトランシーバと、
該トランシーバに結合されているアンテナと
を備える、基地局。
【請求項８】
前記プロセッサは、異なったスロットサイクルインデックスに変更するために、前記モバイルハンドセットから前記トランシーバを介して要求を受信することによって、前記トリガイベントが起こったことを決定する、請求項７に記載の基地局。
【請求項９】
前記プロセッサは、前記モバイルハンドセットが高レベルのサービスへ加入したことを決定することによって、前記トリガイベントが起こったことを決定する、請求項７に記載の基地局。
【請求項１０】
モバイルワイヤレスネットワークを操作する方法であって、
（ａ．）モバイルハンドセットに関してトリガイベントが起こったことを決定するステップと、
（ｂ．）該トリガイベントを評価するステップと、
（ｃ．）該トリガイベントの評価に基づいてスロットサイクルインデックスの変更に対する要求が行われるべきであることを決定するステップと、
（ｄ．）該トリガイベントの該評価、および該要求が起こるべきであるという決定に応答して、該モバイルワイヤレスネットワークの基地局から該スロットサイクルインデックスの変更を要求するステップと、
を包含する、方法。
【請求項１１】
前記トリガイベントが、モバイル電源電力の所定のレベルに到達することと、所定の日時に到達することと、所定の位置に到達することとのうちの少なくとも１つである、請求項１０に記載の方法。
【請求項１２】
前記トリガイベントが、複数のトリガイベントの関数である、請求項１０に記載の方法。
【請求項１３】
前記トリガイベントが、モバイル電源電力、システムローディング、および日時の関数である、請求項１０に記載の方法。
【請求項１４】
前記トリガイベントが、前記ネットワークにおいて所定のシステムローディングに到達することである、請求項１０に記載の方法。
【請求項１５】
前記トリガイベントが、スロットサイクルインデックス設定に対して、前記モバイルハンドセットが所定の優先度を有することである、請求項１０に記載の方法。
【国際調査報告】
2007534274.tif 000015
2007534274.tif 000016
2007534274.tif 000017